(57)【要約】  本発明による装置は、必要な保守がわずかであり、わずかなエネルギーしか消費せず、またはさらにはまったくエネルギーを消費しない。回路遮断器等の電気装置（１０）が配置されるジャケット（１５）を冷却するために、相変化伝熱流体に基づく冷却手段を使用する。したがって、ジャケット（１５）の頂部（１６）に配置された凝縮器（２１）に接続される蒸発器（１１）が作製される。高電流中電圧電気設備に対する応用。
2013509148.tif 000002
【特許請求の範囲】
【請求項１】
電気を処理し輸送する中電圧、高電流設備を冷却し、前記設備が、シース冷却手段（１５、２５）内に配置された電流輸送および電流遮断装置（１０）を含む、冷却方法であって、前記シース冷却手段（複数可）（１５、２５）の壁（１２、２２、１８、２６）と接触して直接的に配置された相変化伝熱流体を有する冷却要素により、前記シース冷却手段（複数可）（１５、２５）の壁（１２、２２、１８、３６）を冷却するステップを含むことを特徴とする方法。
【請求項２】
前記シース冷却手段（１５）の前記壁（１２、１８）を使用するステップを含み、前記壁が、相変化伝熱流体を有する各要素の部分を組み込むために二重壁タイプであることを特徴とする請求項１に記載の方法。
【請求項３】
前記シース冷却手段（４５）に押し付けられている垂直板（４２）内に垂直に埋め込まれているヒートパイプ（４８）を使用するステップを含むことを特徴とする請求項１に記載の方法。
【請求項４】
前記シース冷却手段（２５）の前記壁の上に配置されているヒートパイプ（２７）を使用するステップを含むことを特徴とする請求項１に記載の方法。
【請求項５】
電気を処理し輸送する中電圧、高電流設備用の冷却装置であって、前記設備が、シース冷却手段内に配置された電流輸送および電流遮断装置（１０）を含み、相変化伝熱流体で動作しているシース冷却手段（１５、２２、２５）を含むことを特徴とする装置。
【請求項６】
前記シース冷却手段（２５）の側壁（１２）が二重壁であることと、相変化伝熱流体で動作する蒸発器（１１）が使用され、各蒸発器が、伝熱液を蒸発させるために前記二重壁内に配置されている部分を有し、前記蒸発器の他の部分が凝縮器（２１）に接続されていることとを特徴とする請求項５に記載の冷却装置。
【請求項７】
前記凝縮器（２１）が、前記シース冷却手段（１５）の屋根（１６）の上に配置されていることを特徴とする請求項６に記載の冷却装置。
【請求項８】
強制換気を提供するファン手段（２６）を有し、前記ファン手段（２６）が、前記凝縮器（２１）に対して横方向に前記シース冷却手段（複数可）（１５）の前記屋根（１６）の上に配置されていることを特徴とする請求項７に記載の冷却装置。
【請求項９】
前記シース冷却手段がヒートパイプ（２７）であり、前記ヒートパイプ（２７）の各々が、前記シース冷却手段（２５）の壁に埋め込まれた部分を有することと、前記ヒートパイプに凝縮器手段が設けられることとを特徴とする請求項５に記載の冷却装置。
【請求項１０】
前記凝縮器手段が、前記ヒートパイプ（２７）の周囲に垂直に取り付けられたフィン（２８）であることを特徴とする請求項９に記載の冷却装置。
【請求項１１】
前記冷却手段が、前記シース冷却手段（４５）の側壁に押し付けられている垂直板（４２）に埋め込まれている垂直ヒートパイプ（４８）であることを特徴とする請求項５に記載の冷却装置。
【請求項１２】
前記シース冷却手段（２５）の間の上方換気に有利であるように強制換気を提供するファン手段（３８）を有することを特徴とする請求項９に記載の冷却装置。
【発明の詳細な説明】
【技術分野】
【０００１】
本発明は、特に保護シース内に配置され、かつ相変化伝熱流体で動作する「ヒートパイプ」と呼ばれる冷却装置を使用する、中電圧発電機用の回路遮断器または断路器の分野に関する。
【０００２】
ヒートパイプは、他のいかなるガスも存在しない場合に、気相および液相が平衡状態にある流体を収容する長い気密密閉された筐体の形態で提供されることが、想起されるべきである。本例では、これらの流体は、水、アルコールおよびアセトンを含むことができる。
【背景技術】
【０００３】
そのタイプの機器の製造業者の不変の問題は、特に、電気を生成する発電所または電気を分配する配電所の出口の母線内に配置された回路遮断器および断路器に対して、こうした装置がさらに高い電流を伝導する性能を増大させることである。それは、特に、オルタネータ回路遮断器に当てはまる。
【０００４】
一般に使用される方法は、関連する回路遮断器のさまざまな加熱部品および被加熱部品に接触している空気の温度をより一様にすることにある。こうした保護シース内の冷却は、そこに封入される空気の自然対流または強制対流によって発生する可能性があり、そこに、回路遮断器が入れられ、保護シース内の優勢な温度は、外部の優勢な温度より大幅に、３０℃から少なくとも４０℃高い。しかしながら、ファン等のこうした補助機器の使用は、さまざまな欠点を示し、それは、主回路から引き出される電力消費量が高いこと、補助ファンが故障するリスクあること、およびその結果としてそれらを二重にするかまたは低下した動作モード、雑音および著しいかさ高性を提供する必要があることである。
【０００５】
別の解決法は、さまざまな伝達要素において電流部分の増大を可能にすることと、したがって回路遮断器部品のサイズを増大させることとにある。
【０００６】
さらに、特許文献１は、高電圧断路器または回路遮断器を冷却する既知の冷却装置および方法を記載している。図１は、その文書に記載されている実施形態を断面で示す。図１は、高圧導体または回路遮断器のケーシングを主に示す。高圧導体または回路遮断器のケーシングは、それ用の冷却アセンブリ１の一部を形成する蒸発器３によって包囲されている。こうしたアセンブリには絶縁スリーブ７が付随し、それは、蒸発器３によって収集される熱を排気するために、相変化伝熱流体５で動作する装置を包囲している。可撓性スリーブ９がアセンブリを完成する。さまざまな部品が、保護シース８内に合わせて配置されている。冷却アセンブリは、たとえばフィンを備えた凝縮装置４に至るこの保護シース８の頂部に向かって開放している。
【先行技術文献】
【特許文献】
【０００７】
【特許文献１】欧州特許第１６５７７３１号明細書
【発明の概要】
【発明が解決しようとする課題】
【０００８】
本発明の目的は、このタイプの設備を冷却する異なる解決法を提供することである。
【課題を解決するための手段】
【０００９】
したがって、本発明の方法および装置の概念は、単に、関連しかつシース内に取り付けられた開閉装置を冷却するのだけではなく、シース自体も冷却することにある。
【００１０】
本発明の第１の主な主題は、電気を処理し輸送する中電圧、高電流設備を冷却する方法であり、設備は、シース内に配置された電流輸送および電流遮断装置を含む。
【００１１】
本発明によれば、本方法は、相変化伝熱流体を有する冷却要素を備えたシース（複数可）の壁を冷却するステップを含む。
【００１２】
本方法の第１の実施態様では、シースに対して、相変化伝熱流体を有する要素の部分を組み込むために、二重壁タイプの壁が利用される。
【００１３】
本発明の第２の実施態様では、シース（複数可）の壁の上に配置されるフィンが設けられたヒートパイプが利用される。
【００１４】
一変形では、伝熱液を使用する冷却手段は、垂直でありかつシースに対して押し付けられる垂直板に組み込まれる、ヒートパイプである。
【００１５】
本発明の第２の主題は、電気を処理し輸送する中電圧、高電流設備用の冷却装置であって、設備は、シース内に配置された電流輸送および電流遮断装置を含む。
【００１６】
本発明では、相変化伝熱流体を使用することによって冷却するシース冷却手段が利用される。
【００１７】
本装置の第１の実施形態では、シースの壁が二重壁であり、装置が、相変化伝熱流体を有する要素からなり、要素は各々、伝熱液を蒸発させるためにシース（複数可）の二重壁内に配置される部分を有し、要素の他の部分は凝縮器に接続されている。
【００１８】
そして、凝縮器（複数可）は、好ましくはシースの屋根の上に配置される。
【００１９】
したがって、任意に、凝縮器の強制換気を提供する手段を利用することが有利である。
【００２０】
本発明の第２の好ましい実施形態では、シース冷却手段がヒートパイプであり、それらは各々、シース壁に埋め込まれる部分を有するかまたはシース壁と熱接触し、ヒートパイプにもまた凝縮器手段が設けられる。
【００２１】
そして、フィンの形態のヒートパイプ凝縮器手段を前記ヒートパイプの周囲に垂直に配置することが好ましい。
【００２２】
ヒートパイプを、シースに対して押し付けられる垂直板に埋め込むことも可能である。
【００２３】
複数のシースが平行に隣り合って取り付けられている場合、シース間の強制換気用の手段を利用することが有利である。
【００２４】
本発明およびそのさまざまな特徴を、さまざまな図が添付された以下の説明を読むことにより、よりよく理解することができる。
【図面の簡単な説明】
【００２５】
【図１】従来技術による冷却装置を示す断面図（上述）である。
【図２Ａ】本発明の冷却装置の第１の実施形態を示す断面図である。
【図２Ｂ】本発明の冷却装置の第１の実施形態を示す断面図である。
【図２Ｃ】本発明の冷却装置の第１の実施形態を示す断面図である。
【図３Ａ】本発明の冷却装置の第２の実施形態を示す図である。
【図３Ｂ】本発明の冷却装置の第２の実施形態を示す図である。
【図３Ｃ】本発明の冷却装置の第２の実施形態を示す図である。
【図４】本発明の冷却装置の第３の実施形態を示す断面図である。
【発明を実施するための形態】
【００２６】
図２Ａ、図２Ｂおよび図２Ｃは、発電機回路遮断器（ＧＣＢ）を取り付ける３つの段階を断面で示す。図２Ａ、図２Ｂおよび図２Ｃの各々において、中電圧開閉装置１０、たとえば回路遮断器、断路器または導体が、絶縁支持体１８に水平に取り付けられているように示されており、種々の部品はすべてシース１５内に配置されている。開閉装置１０の周囲に配置されている波状矢印は、前記開閉装置が、シース１５内の大量の熱を拡散させることを示す。
【００２７】
シース１５は側壁１２を有するようになっており、側壁１２は、相変化伝熱流体を使用する冷却システムの一部を形成する蒸発器１１を受け入れることができるように、二重壁である。したがって、シース１５の側壁１２は、開閉装置１０によって発生する熱によって加熱され、相変化冷却装置の蒸発器１１に収容されている流体の少なくとも部分的な蒸発をもたらすことができることが理解されるべきである。意図された用途では、シース１５の側壁１２の温度は約８０℃であることが指摘される。
【００２８】
シース１５の側壁１２内に配置されている蒸発器１１は、パイプ１４によって、シース１５の屋根１６の上に配置されている凝縮器２１に接続されている。したがって、これら凝縮器２１を、電気設備が位置している構内における周囲空気が通り抜けることができる。したがって、このように主にシース１５の加熱のためにこの電気設備によって生成される熱は、雰囲気中に排気される。
【００２９】
図２Ｂは、シース１５の屋根１６にも、内部に蒸発器１７があり得る二重壁１８を設けることができ、蒸発器１７もまた、シース１５の屋根１６の上の凝縮器２１に接続されていることを示す。したがって、最大量の熱を排気することができる。
【００３０】
図２Ｃは、この設備を、各々がシース１５の屋根１６の上に配置される２つの凝縮器２１の間に配置されたファン手段２６によって完成することができることを示す。
【００３１】
図３Ａ、図３Ｂおよび図３Ｃに、一組の母線または発電所の外部設備に発電機回路遮断器（ＧＣＢ）を取り付ける３つの段階をそれぞれ示す、第２のあり得る実施形態を示す。依然として、絶縁支持体１８の上に配置された回路遮断器、断路器または導体であってもよい、開閉装置１０があり得る。内部に開閉装置１０があるシース２５の壁２２は、ここでは二重壁構造ではなく、ヒートパイプ２７が設けられており、ヒートパイプ２７の各々は、これらの壁２２に埋め込まれた部分を有している。各ヒートパイプ２７に、ヒートパイプ２７に対して垂直に配置されている一定数のフィン２８を設けてもよい。したがって、シース２５の各側壁２２に蓄積した熱がヒートパイプ内に分散される。したがって、シース２５の側壁２２に沿って換気が構成される。この対流は図３Ａでは自然対流であるが、図３Ｃでは、検討中のシース２５の側壁２２に隣接してかつその下に配置されている垂直ファン手段３８による、強制対流である。２つの隣接するシース２５間の自然対流が、開閉装置１０によって発生する熱の排気に対して好ましい要素であることが理解されるべきである。
【００３２】
図３Ｂは、図２と同様に、シース２５の天井３６にヒートパイプ２７を設けることも可能であり、ヒートパイプ２７自体に同様にフィン２８が設けられていることを示す。
【００３３】
図４は、図２Ａおよび図２Ｂに示す実施形態の変形を示す。シース４５の壁に押し付けられている垂直板４２に、垂直ヒートパイプ４８が埋め込まれている。この実施形態では、垂直板４２およびヒートパイプ４８はシース４５の外側であるが、内側に配置することができる。
【００３４】
発明の利点
本発明の冷却方法により、システムが、いずれにおいても電気設備の通電部分と接触しないことが確実になる。
【００３５】
そのエネルギー消費量は、ファン手段２６および３８の任意の使用にしか限定されない。
【００３６】
最後に、本発明の装置によって必要とされる保守は、必要な場合、かつ開閉装置が通電されている場合であっても、フィン２８を清掃することにのみ限定される。
【符号の説明】
【００３７】
１０  開閉装置
１１  蒸発器
１２  側壁
１５  シース（冷却手段）
１６  屋根
１７  蒸発器
１８  絶縁支持体、壁
２１  凝縮器
２２  壁
２５  シース（冷却手段）
２６  ファン手段
２７  ヒートパイプ
２８  フィン
３６  天井
３８  ファン手段
４２  垂直板
４５  シース（冷却手段）
４８  ヒートパイプ
【図１】
2013509148.tif 000003
【図２Ａ】
2013509148.tif 000004
【図２Ｂ】
2013509148.tif 000005
【図２Ｃ】
2013509148.tif 000006
【図３Ａ】
2013509148.tif 000007
【図３Ｂ】
2013509148.tif 000008
【図３Ｃ】
2013509148.tif 000009
【図４】
2013509148.tif 000010
【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
電気を処理し輸送する中電圧、高電流設備を冷却し、前記設備が、シース冷却手段（複数可）（１５、２５）内に配置された電流輸送および電流遮断装置（１０）を含む、冷却方法であって、前記シース冷却手段（複数可）（１５、２５）の壁（１２、２２、１８、２６）と接触して直接的に配置された相変化伝熱流体を有する冷却要素により、前記シース冷却手段（複数可）（１５、２５）の前記壁（１２、２２、１８、３６）を冷却するステップを含むことを特徴とする方法。
【請求項２】
前記シース冷却手段（１５）の前記壁（１２、１８）を使用するステップを含み、前記壁が、相変化伝熱流体を有する各要素の部分を組み込むために二重壁タイプであることを特徴とする請求項１に記載の方法。
【請求項３】
前記シース冷却手段（４５）に押し付けられている垂直板（４２）内に垂直に埋め込まれているヒートパイプ（４８）を使用するステップを含むことを特徴とする請求項１に記載の方法。
【請求項４】
前記シース冷却手段（２５）の前記壁の上に配置されているヒートパイプ（２７）を使用するステップを含むことを特徴とする請求項１に記載の方法。
【請求項５】
電気を処理し輸送する中電圧、高電流設備用の冷却装置であって、前記設備が、シース冷却手段内に配置された電流輸送および電流遮断装置（１０）を含み、前記シース冷却手段（複数可）（１５、２５）に接触して直接位置している前記シース（複数可）（１５、２５）を直接冷却するために、相変化伝熱流体で動作している前記シース（複数可）の冷却手段を含むことを特徴とする装置。
【請求項６】
前記シース冷却手段（２５）の前記側壁（１２）が二重壁であることと、相変化伝熱流体で動作する蒸発器（１１）が使用され、各蒸発器が、前記伝熱液を蒸発させるために前記二重壁内に配置されている部分を有し、前記蒸発器の他の部分が凝縮器（２１）に接続されていることとを特徴とする請求項５に記載の冷却装置。
【請求項７】
前記凝縮器（２１）が、前記シース冷却手段（１５）の屋根（１６）の上に配置されていることを特徴とする請求項６に記載の冷却装置。
【請求項８】
強制換気を提供するファン手段（２６）を有し、前記ファン手段（２６）が、前記凝縮器（２１）に対して横方向に前記シース冷却手段（複数可）（１５）の前記屋根（１６）の上に配置されていることを特徴とする請求項７に記載の冷却装置。
【請求項９】
前記シース冷却手段がヒートパイプ（２７）であり、前記ヒートパイプ（２７）の各々が、前記シース冷却手段（２５）の壁に埋め込まれた部分を有することと、前記ヒートパイプに凝縮器手段が設けられることとを特徴とする請求項５に記載の冷却装置。
【請求項１０】
前記凝縮器手段が、前記ヒートパイプ（２７）の周囲に垂直に取り付けられたフィン（２８）であることを特徴とする請求項９に記載の冷却装置。
【請求項１１】
前記冷却手段が、前記シース冷却手段（４５）の側壁に押し付けられている垂直板（４２）に埋め込まれている垂直ヒートパイプ（４８）であることを特徴とする請求項５に記載の冷却装置。
【請求項１２】
前記シース冷却手段（２５）の間の上方換気に有利であるように強制換気を提供するファン手段（３８）を有することを特徴とする請求項９に記載の冷却装置。
【国際調査報告】
2013509148.tif 000011
2013509148.tif 000012
2013509148.tif 000013
2013509148.tif 000014